(57)【要約】【課題】会社の社員の引越に伴う社員および社内手続の簡略化が図れる引越輸送発注システムおよび方法を提供する。【解決手段】引越輸送発注システム１は、固定料金に予め決められた基本料金および輸送費が格納された引越輸送発注サーバ１０と、申請者についての社員情報が格納された人事情報管理サーバ２０と、申請者端末３１とを備える。引越輸送発注サーバ１０は、申請者端末３１から受信した申請者の社員コードを人事情報管理サーバ２０に送信する。人事情報管理サーバ２０は、社員コードに基づいて申請者の社員情報を検索して、検索した社員情報を引越輸送発注サーバ１０に送信する。引越輸送発注サーバ１０は、受信した社員情報が記入された輸送請求票入力画面を作成して申請者端末３１に送信するとともに、基本料金および輸送費に基づいて輸送金額を計算する。【選択図】  図１
2005276024.tif 000002
【特許請求の範囲】
【請求項１】
固定料金に予め決められた基本料金および輸送費が格納された引越輸送発注サーバ（１０）と、
該引越輸送発注サーバ（１０）と相互接続されたかつ申請者についての社員情報が格納された人事情報管理サーバ（２０）と、
前記引越輸送発注サーバ（１０）と相互接続された申請者端末（３１）と、
を備え、
前記引越輸送発注サーバ（１０）が、引越を申請する前記申請者の社員コードを前記申請者端末（３１）から受信すると、該受信した社員コードを前記人事情報管理サーバ（２０）に送信し、
前記人事情報管理サーバ（２０）が、受信した前記社員コードに基づいて前記申請者の前記社員情報を検索して、該検索した社員情報を前記引越輸送発注サーバ（１０）に送信し、
前記引越輸送発注サーバ（１０）が、受信した前記社員情報が記入された輸送請求票入力画面（１１０）を作成して該作成した輸送請求票入力画面（１１０）を前記申請者端末（３１）に送信するとともに、前記基本料金および前記輸送費に基づいて輸送金額を計算する、
ことを特徴とする、引越輸送発注システム。
【請求項２】
特殊品ごとに固定料金に予め決められたオプション費用が、前記引越輸送発注サーバ（１０）にさらに格納されており、
前記引越輸送発注サーバ（１０）が、前記特殊品の内容を前記申請者に入力させるための輸送内容入力画面（１１１）を作成して該作成した輸送内容入力画面（１１１）を前記申請者端末（３１）に送信するとともに、前記特殊品の内容が入力された前記輸送内容入力画面（１１１）を前記申請者端末（３１）から受信すると、該特殊品の内容に基づいて前記オプション費用を計算する、
ことを特徴とする、請求項１記載の引越輸送発注システム。
【請求項３】
前記社員情報が、引越対象者情報，発令日情報，旧所属情報，旧出向先情報，新所属情報，新出向先情報，出発地情報，到着地情報および世帯種別情報を含むことを特徴とする、請求項１または２記載の引越輸送発注システム。
【請求項４】
前記基本料金が、輸送会社ごとに社員の生活タイプにより固定料金に予め決められており、
前記輸送費が、輸送会社ごとに社員の生活タイプおよび輸送距離に応じて固定料金に予め決められている、
ことを特徴とする、請求項１乃至３いずれかに記載の引越輸送発注システム。
【請求項５】
前記オプション費用が、前記特殊品について、輸送会社ごとに、または、輸送会社ごとに輸送距離に応じて固定料金に予め決められていることを特徴とする、請求項２乃至４いずれかに記載の引越輸送発注システム。
【請求項６】
基本料金および輸送費を固定料金に予め決めるとともにオプション費用を特殊品ごとに固定料金に予め決め、該基本料金，該輸送費および該オプション費用を引越輸送発注サーバ（１０）に格納し、
引越を申請する申請者の社員コードを申請者端末（３１）から前記引越輸送発注サーバ（１０）を介して、前記申請者についての社員情報が格納された人事情報管理サーバ（２０）に送信し、
前記人事情報管理サーバ（２０）が、前記社員コードに基づいて前記申請者の前記社員情報を検索して該検索した社員情報を前記引越輸送発注サーバ（１０）に送信し、
前記引越輸送発注サーバ（１０）が、前記社員情報が記入された輸送請求票入力画面（１１０）および前記特殊品の内容を前記申請者に入力させるための輸送内容入力画面（１１１）を作成して該輸送請求票入力画面（１１０）および該輸送内容入力画面（１１１）を前記申請者端末（３１）に送信するとともに、前記特殊品の内容が入力された前記輸送内容入力画面（１１１）を前記申請者端末（３１）から受信したときには該特殊品の内容に基づいて前記オプション費用を計算し、該計算したオプション費用，前記基本料金および前記輸送費に基づいて輸送金額を計算する、
ことを特徴とする、引越輸送発注方法。
【請求項７】
前記社員情報が、引越対象者情報，発令日情報，旧所属情報，旧出向先情報，新所属情報，新出向先情報，出発地情報，到着地情報および世帯種別情報を含むことを特徴とする、請求項６記載の引越輸送発注方法。
【請求項８】
前記基本料金が、輸送会社ごとに社員の生活タイプにより固定料金に予め決められており、
前記輸送費が、輸送会社ごとに社員の生活タイプおよび輸送距離に応じて固定料金に予め決められており、
前記オプション費用が、前記特殊品について、輸送会社ごとに、または、輸送会社ごとに輸送距離に応じて固定料金に予め決められている、
ことを特徴とする、請求項６または７記載の引越輸送発注方法。
【発明の詳細な説明】
【技術分野】
【０００１】
本発明は、引越輸送発注システムおよび方法に関し、特に、社員の転勤に伴い発生する引越輸送発注業務の効率化が図れる引越輸送発注システムおよび方法に関する。
【背景技術】
【０００２】
従来、会社などにおいて社員の転勤に伴い引越輸送を輸送会社に発注する場合には、たとえば、引越する社員は、自分で選んだり会社から斡旋してもらったりした輸送会社に引越輸送費用の見積りをしてもらい、その見積書を会社に提出してその会社の資材部からその輸送会社に発注している。
【０００３】
このような引越に伴うユーザの手続作業の煩わしさを軽減するためのシステムとして、たとえば以下に示す特許文献１に開示されている引越し関連手続き一括代行システムがある。
【特許文献１】特開２００２−２０３０２７号公報
【０００４】
また、引越における見積業務の効率改善を図るためのシステムおよび方法としては、たとえば以下に示す２つの特許文献に開示されているものがある。
【特許文献２】特開２００３−３４６０１６号公報
【特許文献３】特開２００２−１１７２７８号公報
【発明の開示】
【発明が解決しようとする課題】
【０００５】
上記特許文献１（特開２００２−２０３０２７号公報）は、ユーザに金銭的負担をかけることなく、引越しに伴いユーザが自ら行う手続き作業の煩わしさを減らすために、引越しに伴いユーザが手続きをする必要があり得る複数のサービス業者の側にそれぞれ配された業者端末装置と、ユーザの側に配されたユーザ端末装置と、業者端末装置とユーザ端末装置とのそれぞれに通信回線によって接続され、有償登録により各サービス業者に関する広告情報が記憶された記憶手段と、ユーザ端末装置から送信された閲覧要求に応じた広告情報をユーザ端末装置に配信する配信手段と、ユーザ端末装置から一括して送信された各サービス業者へのサービス利用の申込み情報及びユーザを特定するユーザ情報を該当する業者端末装置に送信するための送信手段とを備えたサーバとを構成要素とする引越し関連手続き一括代行システムを開示する。しかしながら、この引越し関連手続き一括代行システムは、引越作業に伴いユーザが自ら行う手続作業の軽減を図るものであり、会社の社員の引越に伴う社内手続の簡略化を図るものではない。
【０００６】
上記特許文献２（特開２００３−３４６０１６号公報）は、引越業務の効率化を図るために、引越元の情報処理装置と引越業者携帯端末と引越業者サーバと引越元の不動産業者端末と引越先の不動産業者端末はインターネットを介して情報の送受信ができ、また、情報処理装置は、引越費用の見積時には、引越業者サーバ上のＷｅｂページにアクセスして予め定められた引越必須情報を入力し、インターネットを介して引越業者サーバに送信し、引越業者サーバ３０は、引越必須情報を受信すると、引越必須情報から引越費用の見積り額を決定し、さらに荷物の容量を推測し、引越当日の配車サイズ、要員人数、梱包備品を正確に決定する、引越業務効率化方法およびシステムを開示する。しかしながら、この引越業務効率化方法およびシステムは、見積額の決定および配車サイズなどの決定を行うものであり、会社の社員の引越に伴う社内手続の簡略化を図るものではない。
【０００７】
上記特許文献３（特開２００２−１１７２７８号公報）は、引越し費用の見積を自動的にかつ迅速に知ることができ、その結果引越しの依頼もすぐに行えるように、主データ処理装置と端末側データ処理装置とを回線を介して接続し、引越し費用を概算するためのパラメータを端末側データ処理装置で入力し、主データ処理装置で上記入力されたパラメータと引越し費用を概算するための基礎情報とから引越し費用を概算し、概算された引越し費用を端末側データ処理装置に出力する、引越自動見積システムを開示する。しかしながら、この引越自動見積システムは、引越費用の見積りを自動的に行うものであり、会社の社員の引越に伴う社内手続の簡略化を図るものではない。
【０００８】
本発明の目的は、会社の社員の引越に伴う社員および社内手続の簡略化が図れる引越輸送発注システムおよび方法を提供することにある。
【課題を解決するための手段】
【０００９】
本発明の引越輸送発注システムは、固定料金に予め決められた基本料金および輸送費が格納された引越輸送発注サーバ（１０）と、該引越輸送発注サーバ（１０）と相互接続されたかつ申請者についての社員情報が格納された人事情報管理サーバ（２０）と、前記引越輸送発注サーバ（１０）と相互接続された申請者端末（３１）とを備え、前記引越輸送発注サーバ（１０）が、引越を申請する前記申請者の社員コードを前記申請者端末（３１）から受信すると、該受信した社員コードを前記人事情報管理サーバ（２０）に送信し、前記人事情報管理サーバ（２０）が、受信した前記社員コードに基づいて前記申請者の前記社員情報を検索して、該検索した社員情報を前記引越輸送発注サーバ（１０）に送信し、前記引越輸送発注サーバ（１０）が、受信した前記社員情報が記入された輸送請求票入力画面（１１０）を作成して該作成した輸送請求票入力画面（１１０）を前記申請者端末（３１）に送信するとともに、前記基本料金および前記輸送費に基づいて輸送金額を計算することを特徴とする。
ここで、特殊品ごとに固定料金に予め決められたオプション費用が、前記引越輸送発注サーバ（１０）にさらに格納されており、前記引越輸送発注サーバ（１０）が、前記特殊品の内容を前記申請者に入力させるための輸送内容入力画面（１１１）を作成して該作成した輸送内容入力画面（１１１）を前記申請者端末（３１）に送信するとともに、前記特殊品の内容が入力された前記輸送内容入力画面（１１１）を前記申請者端末（３１）から受信すると、該特殊品の内容に基づいて前記オプション費用を計算してもよい。
また、前記社員情報が、引越対象者情報，発令日情報，旧所属情報，旧出向先情報，新所属情報，新出向先情報，出発地情報，到着地情報および世帯種別情報を含んでもよい。
さらに、前記基本料金が、輸送会社ごとに社員の生活タイプにより固定料金に予め決められており、前記輸送費が、輸送会社ごとに社員の生活タイプおよび輸送距離に応じて固定料金に予め決められていてもよい。
さらにまた、前記オプション費用が、前記特殊品について、輸送会社ごとに、または、輸送会社ごとに輸送距離に応じて固定料金に予め決められていてもよい。
【００１０】
本発明の引越輸送発注方法は、基本料金および輸送費を固定料金に予め決めるとともにオプション費用を特殊品ごとに固定料金に予め決め、該基本料金，該輸送費および該オプション費用を引越輸送発注サーバ（１０）に格納し、引越を申請する申請者の社員コードを申請者端末（３１）から前記引越輸送発注サーバ（１０）を介して、前記申請者についての社員情報が格納された人事情報管理サーバ（２０）に送信し、前記人事情報管理サーバ（２０）が、前記社員コードに基づいて前記申請者の前記社員情報を検索して該検索した社員情報を前記引越輸送発注サーバ（１０）に送信し、前記引越輸送発注サーバ（１０）が、前記社員情報が記入された輸送請求票入力画面（１１０）および前記特殊品の内容を前記申請者に入力させるための輸送内容入力画面（１１１）を作成して該輸送請求票入力画面（１１０）および該輸送内容入力画面（１１１）を前記申請者端末（３１）に送信するとともに、前記特殊品の内容が入力された前記輸送内容入力画面（１１１）を前記申請者端末（３１）から受信したときには該特殊品の内容に基づいて前記オプション費用を計算し、該計算したオプション費用，前記基本料金および前記輸送費に基づいて輸送金額を計算することを特徴とする。
ここで、前記社員情報が、引越対象者情報，発令日情報，旧所属情報，旧出向先情報，新所属情報，新出向先情報，出発地情報，到着地情報および世帯種別情報を含んでもよい。
また、前記基本料金が、輸送会社ごとに社員の生活タイプにより固定料金に予め決められており、前記輸送費が、輸送会社ごとに社員の生活タイプおよび輸送距離に応じて固定料金に予め決められており、前記オプション費用が、前記特殊品について、輸送会社ごとに、または、輸送会社ごとに輸送距離に応じて固定料金に予め決められていてもよい。
【発明の効果】
【００１１】
本発明の引越輸送発注システムおよび方法は、以下に示すような効果を奏する。
（１）引越する社員（申請者）は、人事情報管理サーバに格納されている社員情報については入力することなしに輸送請求票を作成することができるため、輸送請求票作成負担が軽減される。
（２）輸送費用（基本料金，輸送費およびオプション費用）を予め輸送会社との間で固定料金に決めておくことにより、引越に伴う見積作業を不要とすることができるとともに、引越費用の計算も間違いなくかつ容易にすることができる。
（３）資材担当でない者でも単純な入力作業をするだけで引越業務を遂行できるため、専門の引越業務担当者が不要となる。
【発明を実施するための最良の形態】
【００１２】
会社の社員の引越に伴う社員および社内手続の簡略化を図るという目的を、固定料金に予め決められた基本料金および輸送費（およびオプション費用）を引越輸送発注サーバに格納するとともに社員についての社員情報を人事情報管理サーバに格納し、引越輸送発注サーバと人事情報管理サーバとを連携させることにより実現した。
【実施例１】
【００１３】
以下、本発明の引越輸送発注システムおよび方法の実施例について図面を参照して説明する。
本発明の一実施例による引越輸送発注システム１は、図１に示すように、引越輸送発注サーバ１０と、引越輸送発注サーバ１０と社内ＬＡＮなどで相互接続された人事情報管理サーバ２０と、たとえば営業部に設けられかつ引越輸送発注サーバ１０と社内ＬＡＮなどで相互接続された申請者端末３１，第１の所属長端末３２および第２の所属長端末３３と、労務部に設けられかつ引越輸送発注サーバ１０と社内ＬＡＮなどで相互接続された審査担当者端末４１，第１の審査所属長端末４２および第２の審査所属長端末４３とを備える。
ここで、人事情報管理サーバ２０には、引越対象者情報，発令日情報，旧所属情報，旧出向先情報，新所属情報，新出向先情報，出発地情報，到着地情報および世帯種別情報を含む最新の社員情報が全社員について格納されている。
【００１４】
また、引越輸送発注サーバ１０には、社員の引越にかかる費用（輸送費用）の基本料金，輸送費およびオプション費用が格納されている。
ここで、基本料金は、輸送会社ごとに社員の生活タイプ（社員が独身者・単身赴任者であるか家族持ち（同居家族が２人以上）であるか）により固定料金に予め決められている。基本料金の一例を表１に示す。
【表１】
2005276024.tif 000003
【００１５】
輸送費は、輸送会社ごとに輸送距離（引越元から引越先までの距離）に応じて固定料金に予め決められている。また、輸送費は、社員の生活タイプ（社員が独身者・単身赴任者であるか家族持ちか）でも異なっている。輸送費の一例を表２に示す。
【表２】
2005276024.tif 000004
【００１６】
オプション費用は、引越荷物にエアコン，ピアノ，自家用車およびバイクなどの特殊品が含まれている場合にそれらの輸送にかかる費用である。オプション費用の一例を表３に示す。この例では、オプション費用は、エアコン，自家用車およびバイクについては輸送会社ごとに固定料金に予め決められており、また、ピアノについては輸送会社ごとに輸送距離に応じて固定料金に予め決められている。
【表３】
2005276024.tif 000005
【００１７】
なお、エアコンに関しては、取付台数が撤去台数より多い場合（すなわち、引越に合わせて新たにエアコンを追加する場合）には申請を却下してもよいし、追加料金を加算してもよい。また、自家用車に関しては輸送距離が５００ｋｍを超過する場合のみに申請できるようにしてもよい。さらに、固定料金が予め決められていない特殊品について申請があった場合には、輸送会社と話し合って固定料金を定めてもよいし、輸送会社が引越終了後に請求するようにしてもよい。
【００１８】
次に、引越輸送発注システム１の動作について、図２に示すフローチャートを参照して説明する。
転勤などに伴い引越発注を申請する社員（以下、「申請者Ａ」と称する。）は、申請者端末３１から自己の社員コードおよび予め定められたパスワードを入力する（ステップＳ１）。入力された社員コードおよびパスワードは引越輸送発注サーバ１０に送信される。
引越輸送発注サーバ１０は、受信した社員コードを人事情報管理サーバ２０に送信して、申請者Ａの社員情報を人事情報管理サーバ２０に問い合わせる（ステップＳ２）。人事情報管理サーバ２０は、受信した社員コードから申請者Ａの社員情報を検索し、検索した社員情報を引越輸送発注サーバ１０に送信する（ステップＳ３）。これにより、引越輸送発注サーバ１０は、申請者Ａの社員情報（すなわち、引越対象者情報，発令日情報，旧所属情報，旧出向先情報，新所属情報，新出向先情報，出発地情報，到着地情報および世帯種別情報（単身・独身または世帯持ちの情報））を得ることができる。
【００１９】
引越輸送発注サーバ１０は、人事情報管理サーバ２０から得た申請者Ａの社員情報に基づいて図３に示すような輸送請求票入力画面１１０を作成する。すなわち、引越輸送発注サーバ１０は、輸送請求票入力画面１１０の「引越対象者」欄，「発令日」欄，「旧所属」欄，「旧出向先」欄，「新所属」欄，「新出向先」欄，「出発地情報」欄および「到着地情報」欄に人事情報管理サーバ２０から得た申請者Ａの引越対象者情報，発令日情報，旧所属情報，旧出向先情報，新所属情報，新出向先情報，出発地情報および到着地情報を記入する（図２に示した輸送請求票入力画面１１０は、「引越対象者」欄および「旧所属」欄に申請者Ａの引越対象者情報および旧所属情報が記入された一例を示すものである。）。これにより、申請者Ａは、引越対象者情報，発令日情報，旧所属情報，旧出向先情報，新所属情報，新出向先情報，出発地情報および到着地情報を記入することなく輸送請求票を作成することができるため、輸送請求票作成時間を大幅に短縮することができる。
作成された輸送請求票入力画面１１０は引越輸送発注サーバ１０から申請者Ａの申請者端末３１に送信される（ステップＳ４）。
【００２０】
申請者Ａは、受信した輸送請求票入力画面１１０を見て、出発を希望する日，到着を希望する日および下見や梱包材搬入を希望する日があれば、「出発希望日・到着希望日・下見・梱包材搬入希望日」欄の項目「出発希望日」，項目「到着希望日」および項目「下見・梱包材搬入希望日」にそれぞれ入力する。この入力方法は、申請者Ａがキーボードから入力するようにしてもよいし、図示の「カレンダ」ボタンをクリックすることにより表示されるカレンダ画面から入力するようにしてもよい。
【００２１】
また、引越輸送発注サーバ１０は、申請者Ａがエアコン，ピアノ，自家用車およびバイクなどの特殊品を持っている場合のオプション費用を算出するためにその内容を申請者Ａに入力させる必要があるので、図４に示すような輸送内容入力画面１１１を作成する。このとき、輸送内容入力画面１１１の「引越し区分」欄の項目「家族」および項目「単身・独身」は、人事情報管理サーバ２０から得た申請者Ａの世帯種別情報に基づいて引越輸送発注サーバ１０がチェックを入れる。
作成された輸送内容入力画面１１１は引越輸送発注サーバ１０から申請者Ａの申請者端末３１に送信される（ステップＳ５）。
申請者Ａは、受信した輸送内容入力画面１１１を見て、たとえば引越荷物の中にエアコンがあれば、「エアコン」欄の項目「有り」にチェックを入れるとともに、引越前の家から撤去するエアコンの台数を項目「撤去」に入力し、引越先の家に取り付けるエアコンの台数を項目「取付」に入力する。
【００２２】
その後、申請者Ａが輸送請求票入力画面１１０の「輸送金額」欄の「金額計算」ボタンをクリックすると、その情報が引越輸送発注サーバ１０に送信される。引越輸送発注サーバ１０は、「金額計算」ボタンがクリックされた情報を受信すると、発注する輸送会社を選択するとともに、輸送内容入力画面１１１の「引越し区分」欄を参照して申請者Ａの生活タイプに応じて基本料金を定めるとともに（表１参照）、輸送請求票入力画面１１０の「出発地情報」欄および「到着地情報」欄を参照して引越元と引越先との距離を計算することにより輸送費を定める（表２参照）。また、引越輸送発注サーバ１０は、輸送内容入力画面１１１の「エアコン」欄，「ピアノ」欄，「自家用車」欄，「その他の特殊品１」欄および「その他の特殊品２」欄を参照してオプション費用を計算する（表３参照）。このとき、基本料金，輸送費およびオプション費用は固定料金に予め決められているため、これらの計算を間違いなくかつ容易にすることができるとともに、輸送会社への見積り依頼も不要となる。
【００２３】
このようにして基本料金，輸送費およびオプション費用を決定すると、引越輸送発注サーバ１０は、税額と合計とを算出したのち、基本料金，輸送費，オプション費用，税額および合計を申請者端末３１に送信する（ステップＳ６）。これにより、申請者端末３１では、輸送請求票入力画面１１０の「輸送金額」欄に記入されている項目「基本料金」，項目「輸送費」，項目「オプション費用」，項目「税額」および項目「合計」に引越輸送発注サーバ１０によって決められた基本料金，輸送費，オプション費用，税額および合計が表示される。その結果、申請者Ａは、輸送請求票入力画面１１０の「輸送金額」欄を見ることにより輸送金額の内訳を把握することができる。
【００２４】
以上のようにして申請者Ａによる輸送請求票入力画面１１０への必要事項の記入が終了すると、引越輸送発注サーバ１０は、申請者端末３１から送信されてくる輸送請求票入力画面１１０に基づいて輸送請求票を作成して、作成した輸送請求票を申請者端末３１に送信する。
【００２５】
申請者Ａは、輸送請求票について課長Ｂの承認を得るために、輸送請求票を第１の所属長端末３２に送信する。輸送請求票を受信した課長Ｂは、その内容を承認する場合には、部長Ｃの承認を得るために、輸送請求票を第２の所属長端末３３に送信する。輸送請求票を受信した部長Ｃは、その内容を承認する場合には、労務部における審査に付するために、輸送請求票を審査担当者端末４１に送信する。なお、課長Ｂおよび部長Ｃは、輸送請求票の内容を承認しない場合には、申請者Ａにその旨および理由を知らせる電子メールを申請者端末３１に送信する（以上、ステップＳ７）。
【００２６】
輸送請求票を受信した審査担当者Ｄは、輸送請求票の内容を審査し、問題がない場合には、審査結果について審査課長Ｅの承認を得るために第１の審査所属長端末４２に審査結果を送信する。一方、輸送請求票に問題がある場合には、審査担当者Ｄは、申請者Ａにその旨および理由を知らせる電子メールを申請者端末Ａに送信する。審査担当者Ｄの審査結果を受信した審査課長Ｅは、審査結果をチェックし、問題がない場合には、審査結果について審査部長Ｆの承認を得るために第２の審査所属長端末４３に審査結果を送信する。一方、審査担当者Ｄの審査結果に問題がある場合には、審査課長Ｅは、審査担当者Ｄにその旨および理由を知らせる電子メールを審査担当者端末４１に送信する。審査課長Ｅの審査結果を受信した審査部長Ｆは、審査結果をチェックし、問題がない場合には、その旨を引越輸送発注サーバ１０に送信する。一方、審査課長Ｅの審査結果に問題がある場合には、審査部長Ｆは、審査課長Ｅにその旨および理由を知らせる電子メールを第１の審査所属長端末４２に送信する（以上、ステップＳ８）。
【００２７】
なお、輸送請求票の承認および審査の回付ルートは、引越輸送発注サーバ１０が人事情報管理サーバ２０から得た申請者Ａの社員情報（特に、旧所属情報）に基づいて予め定めておき、第１の所属長端末３２，第２の所属長端末３３，審査担当者端末４１，第１の審査所属長端末４２および第１の審査所属長端末４３への輸送請求票および審査結果の回付を引越輸送発注サーバ１０を介して行うようにしてもよい。
【００２８】
労務部における輸送請求票の審査が完了すると、引越輸送発注サーバ１０は、輸送請求票に基づいて発注票を作成したのち、輸送会社に発注票を送信する（ステップＳ９）。
【００２９】
引越が終了すると、申請者Ａが検収を行って、検収結果を引越先の端末から引越輸送発注サーバ１０へ送信する。これにより、引越輸送発注サーバ１０は、申請者Ａの引越発注動作を終了する。
【産業上の利用可能性】
【００３０】
以上説明したように、本発明の引越輸送発注システムおよび方法は、会社などにおいて社員の転勤に伴い発生する引越の発注業務において使用することができる。
【図面の簡単な説明】
【００３１】
【図１】本発明の一実施例による引越輸送発注システムを説明するための概略ブロック図である。（実施例１）
【図２】図１に示した引越輸送発注システム１の動作を説明するためのフローチャートである。（実施例１）
【図３】輸送請求票入力画面の一例を示す図である。（実施例１）
【図４】輸送内容入力画面の一例を示す図である。（実施例１）
【符号の説明】
【００３２】
１  引越輸送発注システム
１０  引越輸送発注サーバ
２０  人事情報管理サーバ
３１  申請者端末
３２  第１の所属長端末
３３  第２の所属長端末
４１  審査担当者端末
４２  第１の審査所属長端末
４３  第２の審査所属長端末
１１０  輸送請求票入力画面
１１１  輸送内容入力画面
Ｓ１〜Ｓ９  ステップ
【図３】
2005276024.tif 000006
【図４】
2005276024.tif 000007
【図１】
2005276024.tif 000008
【図２】
2005276024.tif 000009